【誤訳訂正書】
【提出日】平成30年6月12日(2018.6.12)
【誤訳訂正１】
【訂正対象書類名】明細書
【訂正対象項目名】０００６
【訂正方法】変更
【訂正の内容】
【０００６】
第１実施形態において、方法が提供される。方法は、第１時間分割デュプレックス（ＴＤＤ）アップリンク−ダウンリンク(ＵｐＬｉｎｋ−ＤｏｗｎＬｉｎｋ;ＵＬ−ＤＬ)構成、第２ＴＤＤ ＵＬ−ＤＬ構成、及び第３ＴＤＤ ＵＬ−ＤＬ構成に関する構成情報を、基地局によってユーザ装置(Ｕｓｅｒ Ｅｑｕｉｐｍｅｎｔ;ＵＥ)に伝送する段階を含む。方法は、また物理的ＤＬ共有チャンネル(Ｐｈｙｓｉｃａｌ ＤＬ Ｓｈａｒｅｄ Ｃｈａｎｎｅｌ;ＰＤＳＣＨ)の受信やＤＬまたはスペシャルサブフレーム(Ｓｐｅｃｉａｌ ＳｕｂＦｒａｍｅ)の半永久的にスケジューリングされた(Ｓｅｍｉ−Ｐｅｒｓｉｓｔｅｎｔｌｙ Ｓｃｈｅｄｕｌｅｄ;ＳＰＳ)ＰＤＳＣＨの解除(ｒｅｌｅａｓｅ)のうちいずれか一つをＵＥにスケジューリングするＤＬ制御情報(ＤＣＩ)フォーマットを搬送する物理的ＤＬ制御チャンネル(Ｐｈｙｓｉｃａｌ ＤＬ Ｃｏｎｔｒｏｌ Ｃｈａｎｎｅｌ;ＰＤＣＣＨ)、または向上された(Ｅｎｈａｎｃｅｄ)ＰＤＣＣＨ(ＥＰＤＣＣＨ)のうちいずれか一つを、基地局によって第３ＴＤＤ ＵＬ−ＤＬ構成のＤＬまたはスペシャルサブフレームにおけるＵＥに伝送する段階を含む。ＤＣＩフォーマットがＥＰＤＣＣＨによって搬送される場合、それは肯定応答資源オフセット(Ａｃｋｎｏｗｌｅｄｇｅｍｅｎｔ Ｒｅｓｏｕｒｃｅ Ｏｆｆｓｅｔ;ＡＲＯ)フィールドを含む。ＵＥにより、第１ＴＤＤ ＵＬ−ＤＬ構成、第２ＴＤＤ ＵＬ−ＤＬ構成、及び第３ＴＤＤ ＵＬ−ＤＬ構成を受信することに応答し、ＵＥは、第２ＴＤＤ ＵＬ−ＤＬ構成によって、第３ＴＤＤ ＵＬ−ＤＬ構成のＤＬまたはスペシャルサブフレームのセットでＰＤＳＣＨの少なくとも一つの受信またはＳＰＳ ＰＤＳＣＨ解除に応答し、肯定応答情報を伝送するためにＵＬ ＳＦを決定する。ＵＥは、またＤＬまたはスペシャルサブフレームのサブセットでＰＤＳＣＨの数及びＳＰＳ ＰＤＳＣＨ解除を受信する。ＵＥは、またＤＬまたはスペシャルサブフレームのセットのサブセットでＰＤＳＣＨの数及びＳＰＳ ＰＤＳＣＨ解除の少なくとも受信に応答し、ＤＬまたはスペシャルサブフレームのセットに関する肯定応答情報を決定する。ＵＥは、肯定応答情報が、ＵＬ ＳＦで伝送される第１ＴＤＤ ＵＬ−ＤＬ構成におけるＤＬまたはスペシャルサブフレームであるＤＬまたはスペシャルサブフレームのセットの第１サブセット、及び第１サブセットにないＤＬまたはスペシャルサブフレームを含むＤＬまたはスペシャルサブフレームのセットの第２サブセットをさらに決定する。ＵＥは、またＵＬ ＳＦで資源の第１セット及び資源の第２セットを決定する。資源の第１セットの資源は第１サブセットにあるサブセットのＳＦに対応する。資源は、受信がＰＤＣＣＨによってスケジューリングされたり、ＡＲＯフィールドを用いてスケジューリングされる場合には第１オフセット、及び受信がＥＰＤＣＣＨによってスケジューリングされる場合には第２オフセットのうちいずれか一つを用いて決定される。資源の第２セットの資源は第２サブセットにあるサブセットのＳＦに対応する。資源は、受信がＰＤＣＣＨによってスケジューリングされたり、ＡＲＯフィールドを用いてスケジューリングされる場合には第３オフセット、及び受信がＥＰＤＣＣＨによってスケジューリングされる場合には第２オフセットを用いて決定される。ＵＥは、また資源の第１セットまたは資源の第２セットから、肯定応答情報の値に基づいて肯定応答情報を伝送するために物理的ＵＬ制御チャンネルの資源を選択する。ＵＥは、選択された資源における肯定応答情報を基地局にさらに伝送する。
【誤訳訂正２】
【訂正対象書類名】明細書
【訂正対象項目名】０００７
【訂正方法】変更
【訂正の内容】
【０００７】
第２実施形態において、方法が提供される。方法は、第１時間分割デュプレックス（ＴＤＤ）アップリンク−ダウンリンク(ＵＬ−ＤＬ)構成及び第２ＴＤＤ ＵＬ−ＤＬ構成に関する構成情報を基地局によってユーザ装置(ＵＥ)に伝送する段階を含む。第２ＴＤＤ ＵＬ−ＤＬ構成の各ＵＬサブフレーム(ＳＦ)は、また第１ＴＤＤ ＵＬ−ＤＬ構成のＵＬ ＳＦである。方法は、また第１ＴＤＤ ＵＬ−ＤＬ構成のＵＬ ＳＦで物理的ＵＬ共有チャンネル(ＰＵＳＣＨ)のＵＥによる伝送をスケジューリングし、少なくともバイナリ要素のフィールドを含むＤＬ制御情報(ＤＣＩ)フォーマットを搬送する制御チャンネルを基地局によって第１ＴＤＤ ＵＬ−ＤＬ構成のＤＬ ＳＦにおけるＵＥに伝送する段階を含む。ＵＥは、ＵＬ ＳＦが、また第２ＴＤＤ ＵＬ−ＤＬ構成のＵＬ ＳＦである場合、ＰＵＳＣＨで肯定応答情報を伝送することができる。ＵＥが、ＵＬ ＳＦで肯定応答情報を伝送できる場合、フィールドは、ＵＥが肯定応答情報を伝送するために、ＤＬまたはスペシャルサブフレームの数をＵＥに知らせるＤＬ割り当てインデックス(ＤＡＩ)の役割をする。ＵＥがＵＬ ＳＦで肯定応答情報を伝送することができず、ＵＥがＤＬまたはスペシャルサブフレームより多くのＵＬ ＳＦを有さないＴＤＤ ＵＬ−ＤＬ構成で動作する場合、フィールド値は常に０に設定される。
【誤訳訂正３】
【訂正対象書類名】明細書
【訂正対象項目名】０００８
【訂正方法】変更
【訂正の内容】
【０００８】
第３実施形態において、方法が提供される。方法は、第１時間分割デュプレックス（ＴＤＤ）アップリンク−ダウンリンク(ＵＬ−ＤＬ)構成、第２ＴＤＤ ＵＬ−ＤＬ構成、及び第３ＴＤＤ ＵＬ−ＤＬ構成に関する構成情報を基地局によってユーザ装置(ＵＥ)に伝送する段階を含む。方法は、また物理的ＤＬ制御チャンネル(ＰＤＣＣＨ)を基地局によって第３ＴＤＤ ＵＬ−ＤＬ構成のＤＬまたはスペシャルサブフレームにおけるＵＥに伝送する段階を含む。ＰＤＣＣＨは、第１タイプまたは第２タイプであり、物理的ＤＬ共有チャンネル(ＰＤＳＣＨ)の受信または半永久的にスケジューリングされた(ＳＰＳ)ＰＤＳＣＨの解除のうちいずれか一つをＤＬまたはスペシャルサブフレームにおけるＵＥにスケジューリングするＤＬ制御情報(ＤＣＩ)フォーマットを搬送する。ＵＥにより、第１ＴＤＤ ＵＬ−ＤＬ構成、第２ＴＤＤ ＵＬ−ＤＬ構成、及び第３ＴＤＤ ＵＬ−ＤＬ構成を受信することに応答し、ＵＥは、第２ＴＤＤ ＵＬ−ＤＬ構成によって、第３ＴＤＤ ＵＬ−ＤＬ構成のＤＬまたはスペシャルサブフレームのセットでＰＤＳＣＨまたはＳＰＳ ＰＤＳＣＨ解除のうち少なくとも一つの受信に応答し、肯定応答情報を伝送するためにＵＬ ＳＦを決定する。ＵＥは、ＤＬまたはスペシャルサブフレームのセットのサブセットでＰＤＳＣＨ及びＳＰＳ ＰＤＳＣＨ解除の数を受信する。ＵＥは、またＤＬまたはスペシャルサブフレームのセットのサブセットでＰＤＳＣＨ及びＳＰＳ ＰＤＳＣＨ解除の数の少なくとも受信に応答し、ＤＬまたはスペシャルサブフレームのセットに関する肯定応答情報を決定する。ＵＥは、肯定応答情報がＵＬ ＳＦで伝送される第１ＴＤＤ ＵＬ−ＤＬ構成におけるＤＬまたはスペシャルサブフレームであるＤＬまたはスペシャルサブフレームのセットの第１サブセット、及び第１サブセットにないＤＬまたはスペシャルサブフレームを含むＤＬまたはスペシャルサブフレームのセットの第２サブセットをさらに決定する。ＵＥは肯定応答情報を基地局に伝送する。ＤＬまたはスペシャルサブフレームの第１セット及びＤＬまたはスペシャルサブフレームの第２セットに対応する肯定応答情報はＵＬ ＳＦで伝送される。一つ以上のＤＬまたはスペシャルサブフレームのサブセットの各ＳＦは第１セットまたは第２セットのうちいずれか一方にある。ＵＥは肯
定応答情報を基地局に追加で伝送する。第１サブセットのＤＬまたはスペシャルサブフレームに対応する肯定応答情報は、伝送が物理的ＵＬ制御チャンネル(ＰＵＣＣＨ)にある場合に第２サブセットのＤＬ ＳＦに対応する肯定応答情報より先に整列され、肯定応答情報は、伝送が物理的ＵＬ共有チャンネル(ＰＵＳＣＨ)にある場合に第２ＴＤＤ ＵＬ−ＤＬ構成のＤＬまたはスペシャルサブフレームのインデックスによって整列される。
【誤訳訂正４】
【訂正対象書類名】明細書
【訂正対象項目名】０００９
【訂正方法】変更
【訂正の内容】
【０００９】
第４実施形態において、基地局が提供される。基地局は、第１時間分割デュプレックス（ＴＤＤ）アップリンク−ダウンリンク(ＵＬ−ＤＬ)構成を表すシグナリング、第２ＴＤＤ ＵＬ−ＤＬ構成を表すシグナリング、及び第３ＴＤＤ ＵＬ−ＤＬ構成を表すシグナリングをユーザ装置(ＵＥ)に伝送するように構成された送信機を含む。基地局は、また第３ＴＤＤ ＵＬ−ＤＬ構成のＤＬまたはスペシャルサブフレームにおいて、物理的ＤＬ共有チャンネル(ＰＤＳＣＨ)の受信や、ＤＬまたはスペシャルサブフレームの半永久的にスケジューリングされた(ＳＰＳ)ＰＤＳＣＨの解除のうちいずれか一つをＵＥにスケジューリングするＤＬ制御情報(ＤＣＩ)フォーマットを搬送する物理的ＤＬ制御チャンネル(ＰＤＣＣＨ)または向上されたＰＤＣＣＨ(ＥＰＤＣＣＨ)のうちいずれか一つをＵＥに伝送するように構成された送信機を含む。ＤＣＩフォーマットがＥＰＤＣＣＨによって搬送される場合、それは肯定応答資源オフセット(ＡＲＯ)フィールドを含む。基地局は、資源の第１セットまたは資源の第２セットから物理的ＵＬ制御チャンネルの資源における肯定応答情報をＵＥから受信するように構成される受信機を含む。基地局は、第２ＴＤＤ ＵＬ−ＤＬ構成により、第３ＴＤＤ ＵＬ−ＤＬ構成のＤＬまたはスペシャルサブフレームのセットに関する肯定応答情報を受信するためにＵＬ ＳＦを決定するように構成されるプロセッサを含む。肯定応答情報は、ＤＬまたはスペシャルサブフレームのセットでＰＤＳＣＨまたはＳＰＳ ＰＤＳＣＨ解除のうち少なくとも一つの伝送に応答する。基地局は、また肯定応答情報がＵＬ ＳＦで伝送される第１ＴＤＤ ＵＬ−ＤＬ構成におけるＤＬまたはスペシャルサブフレームであるＤＬまたはスペシャルサブフレームのセットの第１サブセット、及び第１サブセットにないＤＬまたはスペシャルサブフレームを含むＤＬまたはスペシャルサブフレームのセットの第２サブセットを決定するように構成されるプロセッサを含む。基地局は、さらにＵＬ ＳＦにおいて、資源の第１セット及び資源の第２セットを決定するように構成されるプロセッサを含む。資源の第１セットの資源は第１セットのＳＦに対応し、伝送がＰＤＣＣＨによってスケジューリングされたり、ＡＲＯフィールドを用いてスケジューリングされる場合には第１オフセット、及び伝送
がＥＰＤＣＣＨによってスケジューリングされる場合には第２オフセットのうちいずれか一つを用いて決定される。資源の第２セットの資源は第２セットにあるＳＦに対応し、伝送がＰＤＣＣＨによってスケジューリングされたり、ＡＲＯフィールドを用いてスケジューリングされる場合には第３オフセット、及び伝送がＥＰＤＣＣＨによってスケジューリングされる場合には第２オフセットを用いて決定される。
【誤訳訂正５】
【訂正対象書類名】明細書
【訂正対象項目名】００１０
【訂正方法】変更
【訂正の内容】
【００１０】
第５実施形態において、ユーザ装置(ＵＥ)が提供される。ＵＥは、第１時間分割デュプレックス（ＴＤＤ）アップリンク−ダウンリンク(ＵＬ−ＤＬ)構成を表すシグナリング、第２ＴＤＤ ＵＬ−ＤＬ構成を表すシグナリング、及び第３ＴＤＤ ＵＬ−ＤＬ構成を表すシグナリングを基地局から受信するように構成された受信機を含む。ＵＥは、また第３ＴＤＤ ＵＬ−ＤＬ構成のＤＬまたはスペシャルサブフレームにおいて、物理的ＤＬ共有チャンネル(ＰＤＳＣＨ)の受信や、ＤＬまたはスペシャルサブフレームの半永久的にスケジューリングされた(ＳＰＳ)ＰＤＳＣＨの解除のうちいずれか一つをＵＥにスケジューリングするＤＬ制御情報(ＤＣＩ)フォーマットを搬送する物理的ＤＬ制御チャンネル(ＰＤＣＣＨ)または向上されたＰＤＣＣＨ(ＥＰＤＣＣＨ)のうちいずれか一つを基地局から受信するように構成された受信機を含む。ＤＣＩフォーマットがＥＰＤＣＣＨによって搬送される場合、それは肯定応答資源オフセット(ＡＲＯ)フィールドを含む。ＵＥは、資源の第１セットまたは資源の第２セットから物理的ＵＬ制御チャンネルの資源における肯定応答情報を基地局に伝送するように構成される伝送機を含む。ＵＥは、第２ＴＤＤ ＵＬ−ＤＬ構成により、第３ＴＤＤ ＵＬ−ＤＬ構成のＤＬまたはスペシャルサブフレームのセットに関する肯定応答情報を伝送するためにＵＬ ＳＦを決定するように構成されるプロセッサを含む。肯定応答情報は、ＤＬまたはスペシャルサブフレームのセットでＰＤＳＣＨまたはＳＰＳ ＰＤＳＣＨ解除のうち少なくとも一つの受信に応答する。ＵＥは、また肯定応答情報が、ＵＬ ＳＦで伝送される第１ＴＤＤ ＵＬ−ＤＬ構成におけるＤＬまたはスペシャルサブフレームであるＤＬまたはスペシャルサブフレームのセットの第１サブセット、及び第１サブセットにないＤＬまたはスペシャルサブフレームを含むＤＬまたはスペシャルサブフレームのセットの第２サブセットを決定するように構成されるプロセッサを含む。ＵＥは、さらにＵＬ ＳＦで資源の第１セット及び資源の第２セットを決定するように構成されるプロセッサを含む。資源の第１セットの資源は第１セットのＳＦに対応し、受信がＰＤＣＣＨによってスケジューリングされたり、ＡＲＯフィールドを用いてスケジューリングされる場合には第１オフセット、及び受信がＥＰＤＣＣ
Ｈによってスケジューリングされる場合には第２オフセットのうちいずれか一つを用いて決定される。資源の第２セットの資源は第２セットにあるＳＦに対応し、受信がＰＤＣＣＨによってスケジューリングされたり、ＡＲＯフィールドを用いてスケジューリングされる場合には第３オフセット、及び受信がＥＰＤＣＣＨによってスケジューリングされる場合には第２オフセットを用いて決定される。
【誤訳訂正６】
【訂正対象書類名】明細書
【訂正対象項目名】００１１
【訂正方法】変更
【訂正の内容】
【００１１】
第６実施形態において、基地局が提供される。基地局は、第１時間分割デュプレックス（ＴＤＤ）アップリンク−ダウンリンク(ＵＬ−ＤＬ)構成を表すシグナリング及び第２ＴＤＤ ＵＬ−ＤＬ構成を表すシグナリングをユーザ装置(ＵＥ)に伝送するように構成された送信機を含む。第２ＴＤＤ ＵＬ−ＤＬ構成の各ＵＬサブフレーム(ＳＦ)は、また第１ＴＤＤ ＵＬ−ＤＬ構成のＵＬ ＳＦである。基地局は、また第１ＴＤＤ ＵＬ−ＤＬ構成のＵＬ ＳＦにおいて、物理的ＵＬ共有チャンネル(ＰＵＳＣＨ)のＵＥによる伝送をスケジューリングし、少なくともバイナリ要素のフィールドを含むＤＬ制御情報(ＤＣＩ)フォーマットを搬送する制御チャンネルを、第１ＴＤＤ ＵＬ−ＤＬ構成のＤＬ ＳＦにおけるＵＥに伝送するように構成される送信機を含む。ＵＥは、ＵＬ ＳＦが、また第２ＴＤＤ ＵＬ−ＤＬ構成のＵＬ ＳＦである場合、ＰＵＳＣＨにおける肯定応答情報を含むことができる。ＵＥがＵＬ ＳＦで肯定応答情報を伝送できる場合、フィールドは、ＵＥが肯定応答情報を伝送するためにＤＬまたはスペシャルサブフレームの数をＵＥに知らせるＤＬ割り当てインデックス(ＤＡＩ)の役割をする。ＵＥがＵＬ ＳＦで肯定応答情報を伝送できず、ＵＥがＤＬ及びスペシャルサブフレームより多くのＵＬ ＳＦを有さないＴＤＤ ＵＬ−ＤＬ構成で動作する場合、フィールド値は常に０に設定される。
【誤訳訂正７】
【訂正対象書類名】特許請求の範囲
【訂正対象項目名】全文
【訂正方法】変更
【訂正の内容】
【特許請求の範囲】
【請求項１】
無線通信システムにおける肯定応答情報（ａｃｋｎｏｗｌｅｄｇｅｍｅｎｔ  ｉｎｆｏｒｍａｔｉｏｎ）を受信する方法であって、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認する段階と、
前記第３ＵＬ−ＤＬ設定によるＤＬサブフレーム又はスペシャルサブフレームでダウンリンク制御情報を伝送する段階と、
前記ダウンリンク制御情報によって、スケジューリングされたダウンリンクデータを伝送する段階と、
前記ダウンリンクデータに対する肯定応答情報を前記第２ＵＬ−ＤＬ設定により決定されたＵＬサブフレームの資源で受信する段階を含み、
前記ＤＬサブフレーム又はスペシャルサブフレームが前記第１ＵＬ−ＤＬ設定によるＤＬサブフレーム、又はスペシャルサブフレームに含まれると、前記資源は、第１オフセットに基づいて決定され、
前記ＤＬサブフレーム又は、スペシャルサブフレームが前記第１ＵＬ−ＤＬ設定によるＤＬサブフレーム、又はスペシャルサブフレームに含まれないと、前記資源は、第２オフセットに基づいて決定されることを特徴とする、肯定応答情報受信方法。
【請求項２】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であることを特徴とする、請求項１に記載の肯定応答情報受信方法。
【請求項３】
前記第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じ、伝送する段階と、
第２ＵＬ−ＤＬ設定情報をＲＲＣシグナリングを通じ、伝送する段階と、
第３ＵＬ−ＤＬ設定情報をダウンリンク制御情報を通じ、伝送する段階をさらに含むことを特徴とする、請求項１に記載の肯定応答情報受信方法。
【請求項４】
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項１に記載の肯定応答情報受信方法。
【請求項５】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１に記載の肯定応答情報受信方法。
【請求項６】
無線通信システムにおける肯定応答情報（ａｃｋｎｏｗｌｅｄｇｅｍｅｎｔ  ｉｎｆｏｒｍａｔｉｏｎ）を伝送する方法であって、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認する段階と、
前記第３ＵＬ−ＤＬ設定によるＤＬサブフレーム又はスペシャルサブフレームでダウンリンク制御情報を受信する段階と、
前記ダウンリンク制御情報によってスケジューリングされたダウンリンクデータを受信する段階と、
前記ダウンリンクデータに対する肯定応答情報を前記第２ＵＬ−ＤＬ設定により決定されたＵＬサブフレームの資源で伝送する段階を含み、
前記ＤＬサブフレーム又はスペシャルサブフレームが前記第１ＵＬ−ＤＬ設定によるＤＬサブフレーム又はスペシャルサブフレームに含まれると、前記資源は、第１オフセットに基づいて決定され、
前記ＤＬサブフレーム又はスペシャルサブフレームが前記第１ＵＬ−ＤＬ設定によるＤＬサブフレーム又は、スペシャルサブフレームに含まれないと、前記資源は、第２オフセットに基づいて決定されることを特徴とする、肯定応答情報伝送方法。
【請求項７】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であることを特徴とする、請求項６に記載の肯定応答情報伝送方法。
【請求項８】
前記第１ＵＬ−ＤＬ設定情報をシステム情報ブロック又は、ＲＲＣ（ｒａｄｉｏ  ｒｅｓｏｕｒｃｅ  ｃｏｎｔｒｏｌ）シグナリングを通じて受信する段階と、
第２ＵＬ−ＤＬ設定情報をＲＲＣシグナリングを通じ、受信する段階と、
第３ＵＬ−ＤＬ設定情報をダウンリンク制御情報を通じ、受信する段階をさらに含むことを特徴とする、請求項６に記載の肯定応答情報伝送方法。
【請求項９】
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項６に記載の肯定応答情報伝送方法。
【請求項１０】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項６に記載の肯定応答情報伝送方法。
【請求項１１】
無線通信システムにおける肯定応答情報（ａｃｋｎｏｗｌｅｄｇｅｍｅｎｔ  ｉｎｆｏｒｍａｔｉｏｎ）を受信する基地局であって、
端末と信号を送受信するＲＦ送受信部と、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認して、前記第３ＵＬ−ＤＬ設定によるＤＬサブフレーム又はスペシャルサブフレームでダウンリンク制御情報を伝送し、前記ダウンリンク制御情報によってスケジューリングされたダウンリンクデータを伝送し、前記ダウンリンクデータに対する肯定応答情報を前記第２ＵＬ−ＤＬ設定により決定されたＵＬサブフレームの資源で受信するように制御する制御部を含み、
前記ＤＬサブフレーム又は、スペシャルサブフレームが前記第１ＵＬ−ＤＬ設定によるＤＬサブフレーム又はスペシャルサブフレームに含まれると、前記資源は、第１オフセットに基づいて決定され、
前記ＤＬサブフレーム又はスペシャルサブフレームが前記第１ＵＬ−ＤＬ設定によるＤＬサブフレーム又はスペシャルサブフレームに含まれないと、前記資源は、第２オフセットに基づいて決定されることを特徴とする、基地局。
【請求項１２】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であることを特徴とする、請求項１１に記載の基地局。
【請求項１３】
前記制御部は、前記第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じて伝送し、前記第２ＵＬ−ＤＬ設定情報をＲＲＣシグナリングを通じて伝送し、前記第３ＵＬ−ＤＬ設定情報をダウンリンク制御情報を通じて伝送するようにさらに制御することを特徴とする、請求項１１に記載の基地局。
【請求項１４】
前記第２ＵＬ−ＤＬ設定によるＤＬサブフレーム及びスペシャルサブフレームは、前記第３ＵＬ−ＤＬ設定によるＤＬサブフレーム、及びスペシャルサブフレームの拡大集合であることを特徴とする、請求項１１に記載の基地局。
【請求項１５】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１１に記載の基地局。
【請求項１６】
無線通信システムにおける肯定応答情報（ａｃｋｎｏｗｌｅｄｇｅｍｅｎｔ  ｉｎｆｏｒｍａｔｉｏｎ）を伝送する端末であって、
基地局と信号を送受信するＲＦ送受信部と、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認し、前記第３ＵＬ−ＤＬ設定によるＤＬサブフレーム、又はスペシャルサブフレームでダウンリンク制御情報を受信し、前記ダウンリンク制御情報によってスケジューリングされたダウンリンクデータを受信し、前記ダウンリンクデータに対する肯定応答情報を前記第２ＵＬ−ＤＬ設定により決定されたＵＬサブフレームの資源で伝送するように制御する制御部を含み、
前記ＤＬサブフレーム又はスペシャルサブフレームが前記第１ＵＬ−ＤＬ設定によるＤＬサブフレーム又はスペシャルサブフレームに含まれると、前記資源は、第１オフセットに基づいて決定され、
前記ＤＬサブフレーム又はスペシャルサブフレームが前記第１ＵＬ−ＤＬ設定によるＤＬサブフレーム、又はスペシャルサブフレームに含まれないと、前記資源は、第２オフセットに基づいて決定されることを特徴とする、端末。
【請求項１７】
前記第１ＵＬ−ＤＬ設定によるＵＬサブフレームは、前記第３ＵＬ−ＤＬ設定によるＵＬサブフレームの拡大集合（ｓｕｐｅｒｓｅｔ）であることを特徴とする、請求項１６に記載の端末。
【請求項１８】
前記制御部は、前記第１ＵＬ−ＤＬ設定情報をシステム情報ブロック又はＲＲＣ（ｒａｄｉｏ  ｒｅｓｏｕｒｃｅ  ｃｏｎｔｒｏｌ）シグナリングを通じて受信し、前記第２ＵＬ−ＤＬ設定情報をＲＲＣシグナリングを通じて受信し、前記第３ＵＬ−ＤＬ設定情報をダウンリンク制御情報を通じ、受信するようにさらに制御することを特徴とする、請求項１６に記載の端末。
【請求項１９】
前記第２ＵＬ−ＤＬ設定によるＤＬサブフレーム及びスペシャルサブフレームは、前記第３ＵＬ−ＤＬ設定によるＤＬサブフレーム及びスペシャルサブフレームの拡大集合であることを特徴とする、請求項１６に記載の端末。
【請求項２０】
前記ダウンリンク制御情報が向上した物理ダウンリンク制御チャンネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ、ＥＰＤＣＣＨ）上に伝送される場合、前記資源（ｒｅｓｏｕｒｃｅ）は、前記ダウンリンク制御情報に含まれる受信確認資源オフセット（ａｃｋｎｏｗｌｅｄｇｅｍｅｎｔ  ｒｅｓｏｕｒｃｅ  ｏｆｆｓｅｔ、ＡＲＯ）に基づき、決定されることを特徴とする、請求項１６に記載の端末。